(57)【要約】【課題】  防水床付きの新たな部屋空間を、既設部屋の広さに合わせて形成できるようにする。【解決手段】  床パネル３と壁パネル４と天井パネル５とを組み立てて、既設部屋内に防水床２付きの新たな部屋空間Ａを形成してある部屋形成構造であって、壁パネルを既設部屋の既設壁面Ｂ２に略沿わせて配置し、床パネルの部屋空間側に略沿わせて防水シート７を設けて防水床を構成するとともに、防水シートの周部２３を、壁パネルの部屋空間側に略沿わせて、かつ、その上下方向中間位置に亘って延設してある。【選択図】        図２
2005068806.tif 000002
【特許請求の範囲】
【請求項１】
床パネルと壁パネルと天井パネルとを組み立てて、既設部屋内に防水床付きの新たな部屋空間を形成してある部屋形成構造であって、
前記壁パネルを前記既設部屋の既設壁面に略沿わせて配置し、
前記床パネルの部屋空間側に略沿わせて防水シートを設けて前記防水床を構成するとともに、前記防水シートの周部を、前記壁パネルの部屋空間側に略沿わせて、かつ、その上下方向中間位置に亘って延設してある部屋形成構造。
【請求項２】
前記壁パネルの前記防水シートの周部よりも上方の部屋空間側に略沿わせて防水壁パネルを設け、
その防水壁パネルの下端部を、前記防水シートの周部に部屋空間側から重なるように延設してある請求項１記載の部屋形成構造。
【請求項３】
前記新たな部屋空間に浴槽又は洗面台を設置してある請求項１又は２記載の部屋形成構造。
【請求項４】
前記床パネルに、前記防水シート上の水を集水可能な集水部と、その集水部に集水された水を前記新たな部屋空間の外部に排水可能な排水部とを設けてある請求項１〜３のいずれか１項記載の部屋形成構造。
【発明の詳細な説明】
【技術分野】
【０００１】
本発明は、床パネルと壁パネルと天井パネルとを組み立てて、既設部屋内に防水床付きの新たな部屋空間を形成してある部屋形成構造に関する。
【背景技術】
【０００２】
上記部屋形成構造は、既設部屋内に、例えば浴室などの防水床付きの新たな部屋空間を形成したものであり、従来の部屋形成構造では、防水床付きの新たな部屋空間を、既設部屋の広さにかかわらず、一定形状で形成してある（例えば、特許文献１参照）。
【０００３】
【特許文献１】特開平０７−２７９４５３号公報
【発明の開示】
【発明が解決しようとする課題】
【０００４】
このため、例えば、既設部屋が広い場合にはその広い既設部屋内を有効活用して、防水床付きの新たな広い部屋空間を形成するなどの、防水床付きの新たな部屋空間を、既設部屋の広さに合わせて形成できない欠点がある。
本発明は上記実情に鑑みてなされたものであって、防水床付きの新たな部屋空間を、既設部屋の広さに合わせて形成できるようにすることを目的とする。
【課題を解決するための手段】
【０００５】
請求項１記載の発明の特徴構成は、床パネルと壁パネルと天井パネルとを組み立てて、既設部屋内に防水床付きの新たな部屋空間を形成してある部屋形成構造であって、前記壁パネルを前記既設部屋の既設壁面に略沿わせて配置し、前記床パネルの部屋空間側に略沿わせて防水シートを設けて前記防水床を構成するとともに、前記防水シートの周部を、前記壁パネルの部屋空間側に略沿わせて、かつ、その上下方向中間位置に亘って延設してある点にある。
【０００６】
〔作用及び効果〕
床パネルと、既設部屋の既設壁面に略沿わせて配置した壁パネルと、天井パネルとを組み立てて、既設部屋内に防水床付きの新たな部屋空間を形成してあるので、防水床付きの新たな部屋空間を、既設部屋の広さに合わせて形成できる。
その上、床パネルの部屋空間側に略沿わせて防水シートを設けて防水床を構成するとともに、防水シートの周部を、壁パネルの部屋空間側に略沿わせて、かつ、その上下方向中間位置に亘って延設してあるので、既設部屋を構成している既設の構造体に特に手を加えたりするようなことなく、既設部屋内に防水床付きの新たな部屋空間を簡便に形成でき、また、形成した防水床付きの部屋空間が不要になって、元の既設部屋に復旧したいような場合でも、床パネルと壁パネルと天井パネルとを防水シートと共に撤去することで容易に復旧できる。
【０００７】
請求項２記載の発明の特徴構成は、前記壁パネルの前記防水シートの周部よりも上方の部屋空間側に略沿わせて防水壁パネルを設け、その防水壁パネルの下端部を、前記防水シートの周部に部屋空間側から重なるように延設してある点にある。
【０００８】
〔作用及び効果〕
壁パネルの防水シートの周部よりも上方の部屋空間側に略沿わせて防水壁パネルを設け、その防水壁パネルの下端部を、防水シートの周部に部屋空間側から重なるように延設してあるので、新たな部屋空間の全体を、防水壁パネルに付着した水が壁パネルと防水シートとの間に流入しない防水空間として使用することができる。
【０００９】
請求項３記載の発明の特徴構成は、前記新たな部屋空間に浴槽又は洗面台を設置してある点にある。
【００１０】
〔作用及び効果〕
新たな部屋空間を、浴室用や洗面用の部屋空間として使用することができる。
【００１１】
請求項４記載の発明の特徴構成は、前記床パネルに、前記防水シート上の水を集水可能な集水部と、その集水部に集水された水を前記新たな部屋空間の外部に排水可能な排水部とを設けてある点にある。
【００１２】
〔作用及び効果〕
防水床上に大量の水を流すような形態で使用しても、それらの水を集水して、新たな部屋空間の外部に確実に排水できる。
【発明を実施するための最良の形態】
【００１３】
以下に本発明の実施の形態を図面に基づいて説明する。
図１（イ）は、一般住宅の壁、床、天井等の既設構造体１で形成された既設部屋Ｂを示し、図１（ロ），図２は、この既設部屋Ｂ内に、防水床２付きの新たな部屋空間Ａを形成してある本発明による部屋形成構造を示している。
【００１４】
前記部屋空間Ａは、図３にも示すように、床パネル３と壁パネル４と天井パネル５とを組み立てて形成してあり、ドア６ａ付きの仕切壁パネル６で浴室用部屋空間Ａ１と脱衣室用部屋空間Ａ２とに仕切って、各部屋空間Ａ１，Ａ２を形成している床パネル３毎に、床パネル３の部屋空間側に沿わせて防水シート７を設けて防水床２ａ，２ｂ（２）を構成してある。
【００１５】
前記床パネル３は、既設部屋Ｂの既設床面Ｂ１上に根太８を設置するとともに、その根太８に、複数の床パネル部材３ａを既設床面Ｂ１と略同じ形状になるように載置固定して構成してあり、壁パネル４の下部を既設部屋Ｂの既設壁面Ｂ２に近接するように沿わせた位置決め状態で組み付けるための床側連結部材３ｂを外周部に沿って設けてある。
【００１６】
前記壁パネル４は、複数の平板壁パネル部材４ａ，４ｃと断面Ｌ字状の複数のコーナー壁パネル部材４ｂとを既設壁面Ｂ２に近接するように連結して構成してあり、脱衣室用部屋空間Ａ２を形成する平板壁パネル部材４ａ，４ｃのうちの一つは、洗面ユニット９を予め組み込んである洗面ユニット付き壁パネル部材４ｃで構成し、各壁パネル部材４ａ，４ｂ，４ｃの下部内側には部屋空間側から開閉可能な配管路１０を設けてある。
【００１７】
また、各壁パネル部材４ａ，４ｂ，４ｃの上下両端面には、両端が側端面に開口する連結用溝１１ａ，１１ｂを、隣り合う壁パネル部材４ａ，４ｂ，４ｃの側端面どうしを密着させた状態で一連に連通するように設けてあり、図４に示すように、隣り合う壁パネル部材４ａ，４ｂ，４ｃの側端面の一方には、部屋空間側からの操作でパネル面に垂直な軸芯周りに回動自在な係止爪金具１２を設け、他方には、係止爪金具１２が所定の回動位置で係止される係止ピン１３を設けてある。
【００１８】
前記天井パネル５は、複数の天井パネル部材５ａを既設部屋Ｂの既設天井面Ｂ３と略同じ形状になるように連結固定して構成してあり、壁パネル４の上部を既設壁面Ｂ２に近接するように沿わせた位置決め状態で組み付けるための天井側連結部材５ｂを外周部に沿って設けてある。
【００１９】
前記床パネル３と壁パネル４と天井パネル５および仕切壁パネル６の組み付け構造を説明する。
前記仕切壁パネル６を床パネル３上に仮置きした状態で、床パネル３の外周に沿って壁パネル部材４ａ，４ｂ，４ｃを配置し、隣り合う壁パネル部材４ａ，４ｂ，４ｃの側端面どうしを密着させた状態で、隣り合う壁パネル部材４ａ，４ｂ，４ｃの下部連結用溝１１ｂに亘って跨るように、床パネル３に設けた床側連結部材３ｂを嵌合させるとともに、図５に示すように、隣り合う壁パネル部材４ａ，４ｂ，４ｃの上部連結用溝１１ａに亘って跨るように、連結部材１４を嵌合させて、壁パネル部材４ａ，４ｂ，４ｃどうし、および、壁パネル部材４ａ，４ｂ，４ｃと床パネル３とを位置決めし、係止爪金具１２を係止ピン１３に係止して、床パネル３と壁パネル４とを組み付けてある。
【００２０】
そして、仕切壁パネル６を立ち上げて床パネル３と壁パネル４とに固定し、天井パネル部材５ａに設けた天井側連結部材５ｂを、各壁パネル部材４ａ，４ｂ，４ｃの上部連結用溝１１ａに嵌合して、壁パネル４と天井パネル５とを組み付けてある。
【００２１】
前記洗面ユニット付き壁パネル部材４ｃは、図６に示すように、二個のカラン１５ａ，１５ｂを備えた洗面台１５を部屋空間側のパネル面に設けるとともに、給排水ユニット１６をパネル部材内部に収納して構成してある。
【００２２】
前記給排水ユニット１６は、配管路１０内に配管した給水管１７と給湯管１８とを給水用カラン１５ａと給湯用カラン１５ｂとに接続して部屋空間Ａの外部から給水および給湯可能に設けるとともに、洗面台１５から排出された水を貯水する貯水タンク１９と、その貯水タンク１９内の水を強制排水可能な電動式の排水ポンプ２０とを洗面用排水管２１で接続して、排水ポンプ２０の駆動で、配管路１０内に配管してある主排水管２２を通して、部屋空間Ａの外部に排水できるように構成してある。
【００２３】
前記防水シート７は床パネル３の略全面に接着固定してあり、図２にも示すように、浴室用部屋空間Ａ１の防水床２ａを構成する防水シート７は、防水床２上の水をその防水床２の略中央に向けて流すための水勾配を付けて設けてあり、各部屋空間Ａ１，Ａ２の防水シート７の周部２３を壁パネル４および仕切壁パネル６の部屋空間側に略沿わせて、かつ、その上下方向中間位置に亘って立ち上がるように延設して、それらの壁パネル４および仕切パネル６に接着固定してある。
【００２４】
また、壁パネル４および仕切パネル６には、防水シート７の周部２３よりも上方の浴室用部屋空間Ａ１側に略沿わせて、部屋空間側のパネル面を防水処理してある防水壁パネル２４を設け、その防水壁パネル２４の下端部を、防水シート７の周部２３に部屋空間側から重なるように延設してある。
【００２５】
そして、浴室用部屋空間Ａ１に浴槽２５を設置すると共に、浴室用部屋空間Ａ１の防水シート７上を流れてきた水を集水可能な集水ます（集水部）２６を、浴室用部屋空間Ａ１の床パネル３の略中央に設けて、その集水ます２６に集水された水を部屋空間Ａの外部に排水可能な排水部２７を設けてある。
【００２６】
前記排水部２７は、集水ます２６に接続した浴室用排水管２８を洗面用排水管２１に合流するように接続して、排水ポンプ２０の駆動で、主排水管２２を通して、部屋空間Ａの外部に排水できるように構成してある。
【００２７】
〔その他の実施形態〕
１．本発明による部屋形成構造は、防水床付きの新たな部屋空間を、洗面室や洗濯室，調理室，トイレ等として設けてあっても良い。
２．本発明による部屋形成構造は、防水シート上の水を自然排水できるように設けてあっても良い。
【図面の簡単な説明】
【００２８】
【図１】（イ）既設部屋を示す透視図、（ロ）本発明による部屋形成構造を示す透視図
【図２】部屋形成構造の一部断面図
【図３】要部分解斜視図
【図４】要部斜視図
【図５】要部斜視図
【図６】（イ）要部斜視図、（ロ）要部の一部切欠き側面図
【符号の説明】
【００２９】
２    防水床
３    床パネル
４    壁パネル
５    天井パネル
７    防水シート
１５  洗面台
２３  周部
２４  防水壁パネル
２５  浴槽
２６  集水部
２７  排水部
Ａ    部屋空間
Ｂ    既設部屋
Ｂ２  既設壁面
【図１】
2005068806.tif 000003
【図２】
2005068806.tif 000004
【図３】
2005068806.tif 000005
【図４】
2005068806.tif 000006
【図５】
2005068806.tif 000007
【図６】
2005068806.tif 000008